(57)【特許請求の範囲】
【請求項１】
無線通信ネットワークにおいて基地局がマルチメディアブロードキャストマルチキャストサービス（ＭＢＭＳ）情報を取得すること、
前記基地局が、システム情報ブロック（ＳＩＢ）により、現在のセル／周波数および隣接周波数によりサポートされるＭＢＭＳサービスエリアＩＤ（ＳＡＩ）を含むＭＢＭＳサービス継続(ＳＣ)表示を、複数のユーザー機器(ＵＥ)にブロードキャストすること、および
前記ＭＢＭＳサービス継続表示に基づいてＵＥにより送信されたＭＢＭＳ受信状態情報を前記ＵＥから受信すること
を含む通信方法。
【請求項２】
前記ＭＢＭＳ情報が、ＭＢＭＳ単一周波数ネットワーク（ＭＢＳＦＮ）サブフレームコンフィグレーションおよび各隣接セルによりサポートされるＭＢＳＦＮエリアＩＤのうちの少なくとも１つを含む請求項１に記載の通信方法。
【請求項３】
各隣接周波数が、対応するセルによりサポートされるＭＢＭＳサービスＩＤのリストに関連している請求項１に記載の通信方法。
【請求項４】
前記ＭＢＭＳ受信状態情報が、前記ユーザー機器(ＵＥ)がＭＢＭＳを受信している、または受信することに興味がある１つまたは複数のキャリア周波数、および前記ユーザー機器(ＵＥ)のユニキャストを上回るＭＢＭＳの優先度を含む請求項１に記載の通信方法。
【請求項５】
前記ＭＢＭＳ情報および前記ＭＢＭＳ受信状態情報に基づいて前記ユーザー機器(ＵＥ)に対しキャリアアグリゲーションの構成を決定することをさらに含む請求項１に記載の通信方法。
【請求項６】
前記ＭＢＭＳ情報および前記ＭＢＭＳ受信状態情報に基づき、前記ユーザー機器(ＵＥ)について隣接セルからターゲットセルを決定することをさらに含む請求項１に記載の通信方法。 
【請求項７】
無線通信ネットワークにおいてユーザー機器（ＵＥ）がサービング基地局からブロードキャストされたマルチメディアブロードキャストマルチキャストサービス（ＭＢＭＳ）サービス継続（ＳＣ）表示を受信することであって、前記ＭＢＭＳ ＳＣ表示は、サービングセル／周波数および隣接周波数のＭＢＭＳサービスエリアＩＤ（ＳＡＩ）を含み、 
前記ユーザー機器(ＵＥ)がＲＲＣ＿ＣＯＮＮＥＣＴＥＤモードにある場合に、専用の無線リソース制御（ＲＲＣ）メッセージにより、前記ＭＢＭＳ ＳＣ表示に基づいて前記ユーザー機器(ＵＥ)が興味を持つ特定のＭＢＭＳサービスに関連する１つまたは複数のキャリア周波数を含むＭＢＭＳ受信状態を前記サービング基地局に報告することであって、前記ユーザー機器(ＵＥ)がＭＢＭＳサービスを受信している、またはＭＢＭＳサービスを受信することに興味がある場合に、前記ユーザー機器(ＵＥ)は前記ＭＢＭＳ ＳＣ表示に基づいて前記ＭＢＭＳ受信状態を報告し、および
前記ユーザー機器(ＵＥ)がＲＲＣ＿ＩＤＬＥモードにある場合に、前記ＭＢＭＳ ＳＣ表示に基づいてセル再選択の決定を行うこと、
を含む通信方法。
【請求項８】
条件が満たされる場合に前記サービング基地局に対しＭＢＭＳ受信状態を更新することをさらに含み、このうち前記条件が、ＭＢＭＳの受信または興味の変化、ＭＢＭＳのユニキャストを上回る優先度の変化、およびＭＢＭＳタイマー満了を含む請求項７に記載の通信方法。
【請求項９】
前記ユーザー機器(ＵＥ)がＭＢＭＳサービスをもはや受信していない、または受信することに興味がなくなった場合、前記ユーザー機器(ＵＥ)は空のＭＢＭＳ受信状態を前記サービング基地局へ送る請求項７に記載の通信方法。
【請求項１０】
前記ＭＢＭＳ受信状態が、前記ユーザー機器(ＵＥ)がＭＢＭＳサービスまたはユニキャストサービスを優先するかどうかを示す１ビットを含む請求項７に記載の通信方法。
【請求項１１】
すべての前記報告されたキャリア周波数が、前記ブロードキャストされたＭＢＭＳ ＳＣ表示中にリストアップされる請求項７に記載の通信方法。
【請求項１２】
前記ユーザー機器(ＵＥ)が、すべての前記報告されたキャリア周波数で前記特定のＭＢＭＳサービスを受信することができる請求項７に記載の通信方法。
【請求項１３】
ユーザー機器(ＵＥ)であって、
無線通信ネットワークにおいて、サービング基地局からブロードキャストされた、サービングセル／周波数および隣接周波数のＭＢＭＳサービスエリアＩＤ（ＳＡＩ）を含むマルチメディアブロードキャストマルチキャストサービス(ＭＢＭＳ)サービス継続(ＳＣ)表示を受信する無線周波数モジュール、
前記ユーザー機器(ＵＥ)がＲＲＣ＿ＣＯＮＮＥＣＴＥＤモードにある場合に専用の無線リソース制御（ＲＲＣ）メッセージにより、前記ＭＢＭＳ ＳＣ表示に基づいて前記ユーザー機器(ＵＥ)が興味を持つ特定のＭＢＭＳサービスに関連する１つまたは複数のキャリア周波数を含むＭＢＭＳ受信状態を前記サービング基地局に報告するＭＢＭＳ制御モジュールであって、前記ユーザー機器(ＵＥ)がＭＢＭＳサービスを受信している、またはＭＢＭＳサービスを受信することに興味がある場合に、前記ユーザー機器(ＵＥ)は前記ＭＢＭＳ ＳＣ表示に基づいて前記ＭＢＭＳ受信状態を報告するものであるところの前記ＭＢＭＳ制御モジュール、および
前記ユーザー機器(ＵＥ)がＲＲＣ＿ＩＤＬＥモードにある場合に前記ＭＢＭＳ ＳＣ表示に基づいてセル再選択の決定を行うハンドオーバーモジュール
を含むユーザー機器。
【請求項１４】
条件が満たされる場合に、前記ユーザー機器(ＵＥ)は、更新されたＭＢＭＳ受信状態を前記サービング基地局に報告し、このうち前記条件が、ＭＢＭＳの受信または興味の変化、ユニキャストを上回るＭＢＭＳの優先度の変化、およびＭＢＭＳタイマー満了を含む請求項１３に記載のユーザー機器。
【請求項１５】
前記ユーザー機器(ＵＥ)がＭＢＭＳサービスをもはや受信していない、または受信することに興味がなくなった場合、前記ユーザー機器(ＵＥ)は空のＭＢＭＳ受信状態を前記サービング基地局へ送る請求項１３に記載のユーザー機器。
【請求項１６】
前記ＭＢＭＳ受信状態が、前記ユーザー機器(ＵＥ)がＭＢＭＳサービスまたはユニキャストサービスを優先するかどうかを示す１ビットを含む請求項１３に記載のユーザー機器。
【請求項１７】
すべての前記報告されたキャリア周波数が、前記ブロードキャストされたＭＢＭＳ ＳＣ表示中にリストアップされる請求項１３に記載のユーザー機器。
【請求項１８】
前記ユーザー機器(ＵＥ)が、すべての前記報告されたキャリア周波数で前記特定のＭＢＭＳサービスを受信することができる請求項１３に記載のユーザー機器。
【発明の詳細な説明】
【技術分野】
【０００１】
関連出願の相互参照
本出願は、３５ Ｕ.Ｓ.Ｃ. §１１９に基づき、２０１１年８月１２日に出願された“Ｍｅｔｈｏｄ ｔｏ Ｉｎｄｉｃａｔｅ ＭＢＭＳ Ｒｅｃｅｐｔｉｏｎ Ｓｔａｔｕｓ ｔｏ Ｅｎａｂｌe Ｓｅｒｖｉｃｅ Ｃｏｎｔｉｎｕｉｔｙ”と題する米国仮特許出願第６１/５２３，１７１号の優先権を主張する。
【０００２】
開示される実施形態は、広くマルチメディアブロードキャストおよびマルチキャストサービス(ＭＢＭＳ)に関し、より詳細には、無線通信ネットワークにおいてユーザー機器（ＵＥ）に対しＭＢＭＳサービスの継続をサポートすることのできる通信方法及びこれに係るユーザー機器（ＵＥ）に関する。
【背景技術】
【０００３】
ロング・ターム・エボリューション(ＬＴＥ)システムは、シンプルなネットワークアーキテクチャによる高ピークデータレート、低遅延、向上したシステム容量、および低動作コストを提供する。ＬＴＥシステムはまた、グローバル・システム・フォー・モバイル・コミュニケーションズ（Ｇｌｏｂａｌ Ｓｙｓｔｅｍ ｆｏｒ Ｍｏｂｉｌｅ Ｃｏｍｍｕｎｉｃａｔｉｏｎｓ，ＧＳＭ（登録商標）、符号分割多重接続(ＣＤＭＡ)、およびユニバーサル・モバイル・テレコミュニケーション・システム(ＵＭＴＳ)のようなより旧い無線ネットワークとのシームレスな統合をも提供する。ＬＴＥシステムにおいて、進化型ユニバーサル地上無線アクセスネットワーク（ｅｖｏｌｖｅｄ ｕｎｉｖｅｒｓａｌ ｔｅｒｒｅｓｔｒｉａｌ ｒａｄｉｏ ａｃｃｅｓｓ ｎｅｔｗｏｒｋ, Ｅ−ＵＴＲＡＮ）は、ユーザー機器(ＵＥｓ)と呼ばれる、複数の移動局（ｍｏｂｉｌｅ ｓｔａｔｉｏｎ）と通信する複数の進化型ノードＢ（ｅｖｏｌｖｅｄ Ｎｏｄｅ−Ｂ, ｅＮＢ）を含む。
【０００４】
インターナショナル・モバイル・テレコミュニケーションズ・アドバンスト（Ｉｎｔｅｒｎａｔｉｏｎａｌ Ｍｏｂｉｌｅ Ｔｅｌｅｃｏｍｍｕｎｉｃａｔｉｏｎｓ Ａｄｖａｎｃｅｄ，ＩＭＴ−Ａｄｖａｎｃｅｄ)第４世代(４Ｇ)標準を満たす、または超えることができるように、ＬＴＥシステムの強化が第３世代パートナーシッププロジェクト(３ＧＰＰ)によって検討されている。重要な強化内容の１つは、帯域幅１００ＭＨｚまでサポートし、かつ既存の無線ネットワークシステムとの後方互換性（ｂａｃｋｗａｒｄｓ ｃｏｍｐａｔｉｂｌｅ）を持つことである。２つまたはそれ以上のコンポーネント・キャリア（ｃｏｍｐｏｎｅｎｔ ｃａｒｒｉｅｒｓ, ＣＣｓ）が束ねられるキャリアアグリゲーション（Ｃａｒｒｉｅｒ ａｇｇｒｅｇａｔｉｏｎ, ＣＡ）がＬＴＥ−アドバンストシステムに導入されることで、全体的なシステムのスループットが改善される。
【０００５】
マルチメディアブロードキャストおよびマルチキャストサービス(ＭＢＭＳ)は、既存のＧＳＭ（登録商標）およびＵＭＴＳセルラーネットワークにより提供されるブロードキャスティングサービスである。近年、ＴＶ、映画、およびデジタル形式での新聞の夜間の伝送のようなその他の情報をブロードキャストまたはマルチキャストするために、進化型ＭＢＭＳ(Ｅ−ＭＢＭＳ)がＬＴＥ規格中に導入されている。ＬＴＥシステムにおいてＭＢＭＳを円滑とするために、マルチキャストコントロールチャネル（ｍｕｌｔｉｃａｓｔ ｃｏｎｔｒｏｌ ｃｈａｎｎｅｌ, ＭＣＣＨ）が各ＭＢＭＳ単一周波数ネットワーク(ＭＢＳＦＮ)エリアにおいてＭＢＭＳ制御情報の伝送に用いられ、かつマルチキャストトラフィックチャネル(ＭＴＣＨ)がＭＢＭＳデータパケットを受け取るＵＥへのユーザー情報の伝送に用いられる。ＭＢＭＳは、ネットワークインフラが移動通信ネットワークの操作者に対してすでに存在していること、および当該サービスのための新たなネットワークを作り上げるのに比して展開の方がコスト効果が良くなり得ること、という大きな利点を有する。ブロードキャスト機能によって、一定のネットワーク負荷でユーザーの数は無制限となり得る。またブロードキャスト機能によって、多数のセルラーのサービス利用者に緊急警報のような情報を同時に一斉送信することもできるようになる。
【０００６】
ＬＴＥのような移動無線システムの重要な特徴は、ｅＮＢおよびネットワーク全体にわたってのシームレスなモビリティのサポートである。速くかつシームレスなハンドオーバー(ＨＯ) は、ＶｏＩＰのような遅延に敏感な（ｄｅｌａｙ−ｓｅｎｓｉｔｉｖｅ）サービスにとり特に重要である。同じように、ＭＢＭＳサービスの継続性もまた、ＭＢＭＳのユーザーエクスペリエンスにとって重要である。ＵＥのモビリティは、ＭＢＭＳサービスの受信に可能な限り影響を及ぼさないものでなくてはならない。しかし、現在のＬＴＥ規格により（例えばＬＴＥ Ｒｅｌ−９において)サポートされるネットワーク支援のＭＢＭＳサービスの継続はない。さらに、ＬＴＥ−Ａシステムにおけるキャリアアグリゲーション(ＣＡ)の追加、および多数のＭＢＳＦＮエリアにカバーされるネットワーク基地局（例えばｅＮＢ)の実現性に伴い、１つのｅＮＢが複数のＭＢＳＦＮエリアと関連し得ることが予測される。ＭＢＭＳサービスの継続のためのネットワーク支援の解決法が求められる。
【発明の概要】
【発明が解決しようとする課題】
【０００７】
ＭＢＭＳサービスの継続を維持するためにネットワーク支援の解決法を提供する。
【課題を解決するための手段】
【０００８】
本発明によれば、ＭＢＭＳサービスの継続を維持するためのネットワーク支援の解決法としての通信方法及びこれに係るユーザー機器が提供される。１つの新たな形態形態において、基地局は、システム情報ブロック（ＳＩＢ）によりＭＢＭＳサービスの継続（ＳＣ）の表示を複数のユーザー機器（ＵＥ）にブロードキャストする。ＭＢＭＳ（ＳＣ）表示は、現在のセル、および隣接周波数（ｎｅｉｇｈｂｏｒ ｆｒｅｑｕｅｎｃｙ）にサポートされるＭＢＭＳサービスエリアＩＤ(ＳＡＩ)を含む。
【０００９】
ＵＥがＲＲＣ＿ＩＤＬＥ状態にある場合、ＵＥはＭＢＭＳ ＳＣ表示に基づいてセル再選択の決定を行い、ＭＢＭＳサービス継続を維持する。
【００１０】
ＵＥがＲＲＣ＿ＣＯＮＮＥＣＴＥＤ状態にある場合、ＵＥは、ＭＢＭＳ ＳＣ表示に基づいて専用の（ｄｅｄｉｃａｔｅｄ）ＲＲＣメッセージによりＭＢＭＳ受信状態（ｒｅｃｅｐｔｉｏｎ ｓｔａｔｕｓ）を基地局に報告する。一例において、ＭＢＭＳ受信状態は、ＵＥが興味を持つ特定のＭＢＭＳサービスをサポートするキャリア周波数、およびユニキャストを上回るＵＥのＭＢＭＳの優先度（ｐｒｅｆｅｒｅｎｃｅ）、を含む。その結果、基地局はＵＥに対しハンドオーバーなどの特定の決定を行って、ＭＢＭＳサービス継続を維持することができる。
【００１１】
その他の実施形態および利点が、以下の詳細な説明において記載される。この概要は、本発明を定義することを意図していない。本発明は、特許請求の範囲よって定義される。
【発明の効果】
【００１２】
本発明によればＭＢＭＳサービスの継続が維持され得る。
【図面の簡単な説明】
【００１３】
添付の図面は、類似する数字が類似する構成要素を示しており、本発明の実施形態を説明するものである。
【００１４】
【図１】図１は、１つの新たな形態形態に基づいたＭＢＭＳサービスをサポートするＬＴＥシステムの論理アーキテクチャを示している。
【図２】図２は、１つの新たな形態形態に基づいたサービング基地局およびユーザー機器の簡略化したブロック図である。
【図３Ａ】図３Ａは、１つの新たな形態に基づいたＭＢＭＳサービスエリアにおけるネットワーク支援のＭＢＭＳサービス継続を示している。
【図３Ｂ】図３Ｂは、ＭＢＭＳサービス継続表示の第１の例を示している。
【図３Ｃ】図３Ｃは、ＭＢＭＳサービス継続表示の第２の例を示している。
【図４】図４は、１つの新たな形態に基づいたＲＲＣ＿ＩＤＥＬモードの場合のＬＴＥシステムにおけるＭＢＭＳサービス継続のためのネットワーク支援の解決法を示している。
【図５】図５は、１つの新たな形態に基づいたＲＲＣ＿ＣＯＮＮＥＣＴＥＤモードの場合のＬＴＥシステムにおけるＭＢＭＳ表示サービス継続のためのネットワーク支援の解決法を示している。
【図６】図６は、１つの新たな形態に基づいたネットワークの視点からのＭＢＭＳサービス継続の方法のフローチャートである。
【図７】図７は、１つの新たな形態に基づいたユーザー機器の視点からのＭＢＭＳサービス継続の方法のフローチャートである。
【発明を実施するための形態】
【００１５】
以下に、本発明のいくつかの実施形態について詳細に説明し、その例を添付の図面に示す。
【００１６】
図１は、１つの新たな実施形態に基づいた、進化型マルチメディアブロードキャストおよびマルチキャストサービス（Ｅ−ＭＢＭＳ）サービスをサポートするロングタームエボリューションーション（ＬＴＥ）システム１００の論理アーキテクチャを示している。ＬＴＥシステム１００は、コンテンツコンテンツプロバイダ１１、ブロードキャストマルチキャストサービスセンター（ＢＭＳＣ）１２、ＭＢＭＳ ＣＰ＆ＵＰのＭＢＭＳゲートウェイ（ＭＢＭＳ−ＧＷ）１３、パケットデータネットワークゲートウェイ（ＰＤＮ−ＧＷ）１４、モビリティ管理エンティティ（ＭＭＥ）１５、マルチ−セル／マルチキャストコーディネーションエンティティ（ＭＣＥ）１６、２つの進化型Ｎｏｄｅ−Ｂ ｅＮＢ１７およびｅＮＢ１８、ならびに複数のＭＢＭＳユーザー（例えばユーザー機器ＵＥ１９）を含む。
【００１７】
ＵＥ１９が特定のＭＢＭＳサービスに加入すると、ＭＢＭＳデータパケットがコンテンツプロバイダ１１から、ＢＭＳＣ１２を通り、ＭＢＭＳ ＧＷ１３を通り、ｅＮＢ１７を通り、そしてＵＥ１９に伝送される（例えば点線１０１で示されている）。一方、ＭＢＭＳ制御情報が、ＰＤＮ−ＧＷ１４とＵＥ１９との間でＭＭＥ１５、ＭＣＥ１６およびｅＮＢ１７を介してやり取りされる（例えば点線１０２で示されている）。図１に示されるように、ｅＮＢ１７およびｅＮＢ１８は純粋な（ｐｕｒｅ）ユーザープレーンインターフェースＭ１を介してＭＢＭＳ ＧＷ１３に接続される。ＭＢＭＳ ＧＷ１３は、論理エンティティであり、その主な機能は、対応するＭＢＭＳサービスを伝送する各ｅＮＢに、ＭＢＭＳパケットを、ＳＹＮＣプロトコルによりブロードキャストすることである。
【００１８】
Ｍ１インターフェースに加え、２つのコントロールプレーンインターフェースＭ２およびＭ３がＬＴＥシステム１００において定義される。Ｍ２インターフェース上のアプリケーション部分はｅＮＢとＭＣＥ１６との間で無線構成情報（ｒａｄｉｏ  ｃｏｎｆｉｇｕｒａｔｉｏｎ ｉｎｆｏｒｍａｔｉｏｎ）を運び、Ｍ３インターフェース上のアプリケーション部分は、ＭＢＭＳベアラレベルにおいてＭＣＥ１６とＭＭＥ１５との間でＭＢＭＳセッション制御シグナリングを実行する。ＭＣＥ１６は論理エンティティであって、例えばｅＮＢ内において別のネットワーク要素の一部ともなり得る。ＭＣＥ１６は、変調および符号化スキーム（ＭＣＳ）を含む無線構成を決定するのはもちろん、ＭＢＭＳ単一周波数ネットワーク（ＭＢＳＦＮ）エリア内のすべてのｅＮＢにより利用される無線リソースの割り当てのような機能を実行する。
【００１９】
１つの新たな形態により、ＭＢＭＳサービス継続（ＳＣ）を維持するためにネットワーク支援の解決法が提供される。ネットワークの視点からすると、ＳＣサポートのｅＮＢの表示（例えばＭＢＭＳサービスエリアＩＤ（ＳＡＩ））が新たな専用のシステム情報ブロック（ＳＩＢ）によってブロードキャストされる。新たなＳＩＢの存在はＵＥに対し、サービングセルがＭＢＭＳ ＳＣをサポートするかどうかについての表示を提供する。ＭＢＭＳユーザーの視点からすると、新たなＳＩＢのコンテンツに基づいて、ＵＥのＭＢＭＳ受信または興味（ｉｎｔｅｒｅｓｔ）状態がｅＮＢに送られる。ＵＥは、その能力の範囲内でそのＭＢＭＳ受信または興味を報告するだけでなく、ユニキャストとＭＢＭＳ間におけるその優先度を表示する。
【００２０】
図２は、１つの新たな形態に基づいたユーザー機器ＵＥ２０１およびサービング（ｓｅｒｖｉｎｇ）基地局ｅＮＢ２０２の簡略化したブロック図である。ＵＥ２０１は、メモリ２１１と、プロセッサ２１２と、アンテナ２１４に接続される無線周波数（ＲＦ）モジュール２１３と、ＮＡＳ２１６、ＲＲＣ２１７、ＲＬＣ２１８、ＭＡＣ２１９およびＰＨＹ２２０を含む各種プロトコルレイヤをサポートするプロトコルスタックモジュール２１５と、コンフィギュレーションモジュール２２２、ハンドオーバー（ＨＯ）モジュール２２３およびＭＢＭＳ制御モジュール２２４を含むアプリケーションモジュール２２１とを含んでいる。同様に、基地局ｅＮＢ２０２は、メモリ２３１と、プロセッサ２３２と、アンテナ２３４に接続される無線周波数（ＲＦ）モジュール２３３と、ＮＡＳ２３６、ＲＲＣ２３７、ＲＬＣ２３８、ＭＡＣ２３９およびＰＨＹ２４０を含む各種プロトコルレイヤをサポートするプロトコルスタックモジュール２３５と、コンフィギュレーションモジュール２４２、ハンドオーバー（ＨＯ）モジュール２４３およびＭＢＭＳ制御モジュール２４４を含むアプリケーションモジュール２４１とを含んでいる。
【００２１】
各種モジュールは機能モジュールであり、かつソフトウェア、ファームウェア、ハードウェア、またはこれらの任意の組み合わせにより実現され得る。プロセッサ２１２および２３２によって実行されると、機能モジュールは互いに相互作用して、ｅＮＢ２０２により提供されるネットワーク支援下でのハンドオーバーまたはセル再選択後にＵＥ２０１がＭＢＭＳサービスを受信できるようにすると共に、サービス継続を維持できるようにする。例えば、コンフィギュレーションモジュール２２２はｅＮＢ２０２からＭＳＭＳ関連情報を受信し、ＨＯモジュール２２３はハンドオーバーまたはセル再選択手続を実行し、ＭＢＭＳ制御モジュール２２４はＭＢＭＳ受信／興味状態をｅＮＢ２０２に報告して、より少ないＭＢＭＳサービスの中断でＭＢＭＳサービスの継続のサポートを手助けする。別の例では、プロトコルスタックモジュールのＲＲＣ２１７およびＲＲＣ２３７はＲＲＣレイヤメッセージを処理し、これによりＵＥのＭＢＭＳ受信または興味状態がＲＲＣシグナリングによりＵＥ２０１からｅＮＢ２０２に報告されるようにする。
【００２２】
図３Ａは、１つの新たな形態に基づいたＭＢＭＳサービス（または同期）エリア３００におけるネットワーク支援のＭＢＭＳサービス継続を示している。ＭＢＭＳサービスエリア３００は多数のＭＢＳＦＮエリア（例えばコンポーネント・キャリアＣＣ１およびＣＣ２のＭＢＳＦＮエリア１−２）をカバーする。ＭＢＳＦＮエリアは、ＭＢＳＦＮ伝送を達成するべく協調的な（ｃｏ−ｏｒｄｉｎａｔｅ）ネットワークのＭＢＮＦＳサービスエリア内におけるセルの群を含む。ＭＢＳＦＮサービスエリアは、すべてのｅＮＢｓが同期されてＭＢＳＦＮ伝送が行われ得るようになるネットワークのエリアとして定義される。ＭＢＭＳサービスエリアは、１つまたは複数のＭＢＳＦＮエリアをサポートできる。一定の周波数のレイヤ（例えば１つのＣＣ）上で、ｅＮＢは１つのＭＢＭＳサービスエリアにしか属することができない。ＭＢＭＳサービスエリア下で、セルは１つまたは複数のＭＢＳＦＮエリアに属することができると共に、すべてのその属するＭＢＳＦＮエリアのＭＢＭＳサービスをサポートすることができる。
【００２３】
図３Ａの例において、ｅＮＢ３１１はＭＢＳＦＮエリア１に属し、ＣＣ１でセル３２１にＭＢＭＳサービスについてのサービスを提供する。ｅＮＢ３１２はＭＢＳＦＮエリア１およびエリア２の両方に属し、ＣＣ１でセル３２２にＭＢＭＳサービスのついてのサービスを提供し、ｅＮＢ３１３はＭＢＳＦＮエリア２に属し、ＣＣ１でセル３２３にＭＢＭＳサービスについてのサービスを提供し、ｅＮＢ３１４はＭＢＳＦＮエリア１に属し、ＣＣ２でセル３２４にＭＢＭＳサービスについてのサービスを提供し、ｅＮＢ３１５はＭＢＳＦＮエリア２に属し、ＣＣ２でセル３２５にＭＢＭＳサービスについてのサービスを提供する。ＵＥ３０１は初め、ｅＮＢ３１１によりサービスが提供されるセル３２１内で特定のＭＢＭＳサービスに加入し、後にあちらこちらを移動して異なるｅＮＢによりサービスが提供される異なるセルに至る。一例では、ＵＥ３０１は先ず、ＣＣ１でセル３２１内のＭＢＳＦＮエリア１中にて加入したＭＢＭＳサービスを受信し、次いでＣＣ１でセル３２２内のＭＢＳＦＮエリア１＆２に移動し、続いてＣＣ１上のセル３２３内のＭＢＳＦＮエリア２に移動する。別の例では、ＵＥ２１はまず、ＣＣ１でセル３２１内のＭＢＳＦＮエリア１中にてＭＢＭＳサービスを受信し、次いでＣＣ２上のセル３２４内のＭＢＳＦＮエリア１に移動し、続いてＣＣ２上のセル３２５内のＭＢＳＦＮエリア２に移動する。
【００２４】
ＵＥ３０１がセル間を移動するとき、ＵＥ３０１はハンドオーバーまたはセル再選択のいずれかを実行する。ＬＴＥシステムにおいては、２つの無線リソース制御（ＲＲＣ）状態、つまりＲＲＣ＿ＩＤＬＥおよびＲＲＣ＿ＣＯＮＮＥＣＴＥＤが定義されている。ＲＲＣ接続の確立に成功すると、ＵＥはＲＲＣ＿ＩＤＬＥ状態からＲＲＣ＿ＣＯＮＮＥＣＴＥＤ状態に移行する。ＲＲＣ接続を解除することによって、ＵＥはＲＲＣ＿ＣＯＮＮＥＣＴＥＤ状態からＲＲＣ＿ＩＤＬＥ状態に戻ることができる。ＲＲＣ＿ＩＤＬＥ状態において、ＵＥはブロードキャスト／マルチキャストデータを受信することができ、ページングチャネルを監視して着信を検出し、隣接セル（ｎｅｉｇｈｂｏｒ ｃｅｌｌ）の測定、およびセル選択／再選択を実行し、かつシステム情報を取得する。ＲＲＣ＿ＩＤＬＥ状態においてＵＥによりモビリティが制御される。ＲＲＣ＿ＣＯＮＮＥＣＴＥＤ状態において、ＵＥへの／からのユニキャストデータの転送、およびＵＥへのブロードキャスト／マルチキャストデータの転送が行われ得る。ＵＥは、シェアされたデータチャネルに関連する制御チャネルを監視してスケジューリングされたデータ（ｓｃｈｅｄｕｌｅｄ ｄａｔａ）を決定し、チャネル品質フィードバック情報を提供し、隣接セルの測定および測定報告を行い、かつシステム情報を取得する。ＲＲＣ＿ＩＤＬＥ状態とは異なり、ＲＲＣ＿ＣＯＮＮＥＣＴＥＤ状態におけるモビリティおよびハンドオーバーは、ＵＥによってネットワーク制御および支援がなされる。
【００２５】
１つの新たな形態において、ｅＮＢは、ＭＢＭＳサービス継続（ＳＣ）表示を新たなＳＩＢによりＵＥにブロードキャストする。ＭＢＭＳ ＳＣ表示は、現在のセルおよび隣接周波数によりサポートされるＭＢＭＳサービスエリアＩＤ（ＳＡＩ）を含む。ＵＥ３０１がＲＣＣ＿ＩＤＬＥ状態にあるとき、ＵＥ３０１は、受信したＭＢＭＳ ＳＣ表示に基づいてセル再選択の決定を行い、サービス継続を維持することができる。一方、ＵＥ３０１がＲＣＣ＿ＣＯＮＮＥＣＴＥＤ状態にあるとき、ＵＥ３０１は、専用のＲＲＣシグナリングにより受信したＭＢＭＳ ＳＣ表示に基づいて、そのＭＢＭＳ受信状態をそのサービングｅＮＢに報告する。ＭＢＭＳ受信状態は、特定のＭＢＭＳサービスへのＵＥの興味、およびユニキャストサービスを上回るＵＥのＭＢＭＳサービスの優先度についての情報を含む。本発明では、ＵＥの受信状態と興味状態との間に違いはないという点に留意されたい。ＵＥが複数のサービスに興味があることを示す場合、そのことは、ＵＥは（例えば、その能力の範囲内において）これらサービスを同時に受信できるということを意味する。ｅＮＢの視点からすると、ＵＥの受信状態報告およびＵＥのキャリアアグリゲーション（ＣＡ）の能力から、ｅＮＢはＵＥの残りの能力（ 例えばアイドルレシーバチェーン（ｉｄｌｅ ｒｅｃｅｉｖｅｒ ｃｈａｉｎ））を明確に知ることができる。結果として、フォローアップの（ｆｏｌｌｏｗ−ｕｐ）キャリアアグリゲーション動作が、意図せぬＭＢＭＳ受信の中断を引き起こさないようになる。ハンドオーバーが必要であると見なされると、サービングｅＮＢは、ハンドオーバーの決定をし、−加えて隣接セルのＭＢＭＳ情報およびＵＥのＭＢＭＳ受信状態を考慮に入れ−、これによってより少ない中断でＭＢＭＳサービス継続が維持され得ることとなる。
【００２６】
隣接セルのＭＢＭＳ情報はＭＢＭＳ ＳＣ表示とは異なるという点に留意されたい。本発明において、ＭＢＭＳ情報は、システム情報ブロック２（ＳＩＢ２）中のＭＢＳＦＮサブフレームコンフィグレーション（ｓｕｂｆｒａｍｅ ｃｏｎｆｉｇｕｒａｔｉｏｎ）、システム情報ブロック１３（ＳＩＢ１３）中のＭＢＭＳエリアＩＤおよびＭＣＣＨコンフィグレーション、ＭＣＣＨ（ＲＲＣメッセージ）中のＰＭＣＨコンフィグレーションおよびサービスリストからなる。加えて、新たなシステム情報ブロックが現在のセルおよび隣接周波数のＭＢＭＳサービスエリアＩＤ （ＳＡＩ）を搬送するのに用いられ、それはＭＢＭＳ情報の一部と見なされもする。この新たなシステム情報ブロックの存在が、現在のセルがＭＢＭＳ ＳＣをサポートするかどうかを暗示的に示したため、新たなＳＩＢのコンテンツコンテンツはＭＢＭＳ ＳＣ表示と見なされる。ＭＢＭＳ情報は多数のＭＢＭＳに関連する機能に用いられるが、ＭＢＭＳ ＳＣ表示は主にＭＢＭＳサービス継続のサポートに用いられる。一例において、ＭＢＭＳ ＳＣ表示は、現在のセルについて最大数６４個のＭＢＭＳ ＳＡＩ、隣接周波数につき最大で６４個のＭＢＭＳ ＳＡＩ、および最大で８個の隣接周波数を含む。
【００２７】
図３Ｂは、図表３５０においてＭＢＭＳ ＳＣ情報の第１の例を示している。図３Ｂの例では、ＭＢＭＳ ＳＣ表示は、現在の周波数についての１個のサービングセルエントリー、および８個の隣接周波数を含む。各キャリア周波数は最大６４個のＭＢＭＳサービスエリアＩＤ（ＳＡＩ）のリストに関連している。あるいは、各キャリア周波数はＭＢＭＳサービスＩＤのリストに関連している。例えば、ＭＢＭＳサービスＩＤは、一時的ＭＢＭＳグループアイデンティティ（Ｔｅｍｐｏｒａｒｙ ＭＢＭＳ Ｇｒｏｕｐ Ｉｄｅｎｔｉｔｙ，ＴＭＧＩ）により表され得る。
【００２８】
図３Ｃは、図表３６０においてＭＢＭＳ ＳＣ情報の第２の例を示している。図３Ｃの例では、ＭＢＭＳ ＳＣ表示は、現在の周波数についての１個のサービングセルエントリー、および８個の隣接周波数を含む。各キャリア周波数は最大６４個のＭＢＭＳサービスエリアＩＤ(ＳＡＩ)のリストに関連している。ＭＢＳＦＮエリアＩＤを提供することで、ＭＣＣＨの監視／読み込みに対するＵＥの電力をセーブできるため、各周波数のＳＡＩはＭＢＳＦＮエリアＩＤによって分類される。
【００２９】
図４は、１つの新たな形態に基づいたＲＲＣ＿ＩＤＥＬモードの場合のＬＴＥ システム４００におけるＭＢＭＳサービス継続のためのネットワーク支援の解決法を示している。ＬＴＥシステム４００はユーザー機器ＵＥ４０１および基地局ｅＮＢ ４０２を含む。ＵＥ４０１はｅＮＢ４０２といかなるＲＲＣ接続も確立しておらず、ＲＲＣ＿ＩＤＬＥ状態を保っている（ステップ４１１）。ＵＥ４０１はいかなるＭＢＭＳサービスも受信していない、または受信することに興味がない。ネットワークの側では、ｅＮＢ４０２は初めはＭＢＭＳサービス継続の機能（ｆｅａｔｕｒｅ）をサポートせず、例えばＭＢＭＳ ＳＣはオフである（ステップ４１２）。後に、ｅＮＢ４０２はＭＢＭＳサービス継続の機能をサポートし始め、ＭＢＭＳ ＳＣはオンである（ステップ４１３）。ｅＮＢ４０２がＭＢＭＳ ＳＣの機能をオンにすると、ｅＮＢ４０２は新たなＳＩＢによりＵＥ４０１を含むＵＥにＭＢＭＳ ＳＣ表示をブロードキャストし始める （ステップ４２１）。ＭＢＭＳ ＳＣ表示は、現在のセル(例えばサービングキャリア周波数)によりサポートされるＭＢＭＳサービスエリアＩＤ（ＳＡＩ）、および各隣接周波数によりサポートされるＳＡＩを含む。特定のＵＥの動作を起こすために、ＵＥがＭＢＭＳサービスを受信することに興味があるときにのみ、セル再選択（ステップ４２３）はＭＢＭＳ情報を考慮することとなる。ＵＥはシグナル強度を考慮するのみならず、ＭＢＭＳ情報をも考慮して再選択を行い、これによりＵＥはセル再選択の後にそのＭＢＭＳサービスを継続することができる。一方、ＵＥがもはやいかなるＭＢＭＳサービスを受信することにも興味を持たなくなったときは、セル再選択の決定（ステップ４２３）は、いかなるＭＢＭＳサービスをも考慮しないこととなる。
【００３０】
通常は、新たなＳＩＢの存在は、ＭＢＭＳ ＳＣのサポートを示す。１実施形態においては、ＭＢＭＳ ＳＣ がサポートされるかどうかのバイナリ表示（ｂｉｎａｒｙ ｉｎｄｉｃａｔｉｏｎ）がブロードキャストされ得る。別の実施形態では、どのような種類のＭＢＭＳ ＳＣがサポートされるのかがブロードキャストされ得る。例えば、ＭＢＳＦＮエリア内、ＭＢＳＦＮエリア間、周波数内、または周波数間のサービス継続が報告される。後に、ＵＥ４０１は、現在のセルによりサポートされる特定のＭＢＭＳサービスを受信し始める（ステップ４２２）。ＵＥ４０１が位置を変えるとき、それはセル再選択決定をしてＭＢＭＳサービス継続を維持する(ステップ423)。ＵＥ４０１はブロードキャストされたＭＢＭＳ ＳＣ表示から各セルによりサポートされるＭＢＭＳサービスを知るため、ＵＥ４０１は適切なセル再選択決定を行うことができ、これによりセル再選択後に興味のあるＭＢＭＳサービスが継続され得るようになる。
【００３１】
図５は、１つの新たな形態に基づいたＲＲＣ＿ＣＯＮＮＥＣＴＥＤモードの場合のＬＴＥシステム５００におけるＭＢＭＳサービス継続のためのネットワーク支援の解決法を示している。ＬＴＥシステム５００はユーザー機器ＵＥ５０１およびサービング基地局ｅＮＢ５０２を含む。ＵＥ５０１はそのサービングｅＮＢ５０２とＲＲＣ接続を確立し、ＲＲＣ＿ＣＯＮＮＥＣＴＥＤ状態にある（ステップ５１１）。初めは、ＵＥ５０１はいかなるＭＢＭＳサービスも受信していない、または受信することに興味がない（ステップ５２１）。ネットワークの側では、ｅＮＢ５０２は初めはＭＢＭＳサービス継続の機能をサポートせず、例えばＭＢＭＳ ＳＣはオフである(ステップ５２２)。後に、ｅＮＢ５０２はＭＢＭＳサービス継続の機能をサポートし始め、ＭＢＭＳ ＳＣはオンである(ステップ５２３)。ｅＮＢ５０２がＭＢＭＳ ＳＣの機能をオンにすると、ｅＮＢ５０２は新たなＳＩＢによりＭＢＭＳ ＳＣ表示を、ＵＥ５０１を含むＵＥにブロードキャストし始める（ステップ５３１）。ＭＢＭＳ ＳＣ表示は、現在のセル(例えばサービングキャリア周波数)によりサポートされるＭＢＭＳサービスエリアＩＤ（ＳＡＩ）、および各隣接周波数によりサポートされるＳＡＩを含む。
【００３２】
後に、ＵＥ５０１は、現在のセルによりサポートされる特定のＭＢＭＳサービスを受信し始める（ステップ５３２）。１つの新たな形態によると、ＵＥ５０１がＭＢＭＳサービスを受信し始める、または受信することに興味があり、かつｅＮＢがＭＢＭＳ ＳＣサポートを示していた場合、ＵＥ５０１はＭＢＭＳ報告手続（ｒｅｐｏｒｔ ｐｒｏｃｅｄｕｒｅ）を開始する。ＭＢＭＳ報告手続時において、ＵＥは、受信したＭＢＭＳ ＳＣ表示に基づいてそのＭＢＭＳ受信状態をそのサービングｅＮＢに報告する。１実施形態では、ＵＥ５０１は専用のＲＲＣメッセージ（例えばＭＢＭＳＩｎｔｅｒｅｓｔＩｎｄｉｃａｔｉｏｎ）によりそのＭＢＭＳ受信状態を報告する（ステップ５３３）。ＵＥ ＭＢＭＳ受信状態は、ユニキャストサービスを上回るＵＥのＭＢＭＳサービスの優先度だけでなく、ＵＥがある特定のＭＢＭＳサービスを受信している、またはそれに興味があることを示す。一例において、ＵＥ５０１はある特定のキャリア周波数によりサポートされる特定のＭＢＭＳサービスを受信することに興味があり、かつＵＥ５０１はＭＢＭＳ受信状態においてそのキャリア周波数を報告する。別の例では、ＵＥ５０１はＭＢＭＳ受信状態のうちの１ビットを用いてＭＢＭＳサービス継続がユニキャストサービスより優先されるかどうかを示す。
【００３３】
報告されるＭＢＭＳ受信状態は、ネットワークおよびＵＥ両者の能力の範囲内のものである。ネットワークの側からすると、報告されるキャリア周波数は、新たなＳＩＢによりブロードキャストされるＭＢＭＳ ＳＣ中にリストアップされていなくてはならない。ＵＥの側からすると、ＵＥは、そのＵＥ能力の範囲内でそれが実際に受信することのできるＭＢＭＳサービスを報告する。例えば、ＵＥ５０１が２つの無線周波数モジュールを有している場合、ＵＥ５０１は興味のあるＭＢＭＳサービスについて２つ以下のキャリア周波数を報告する。 
【００３４】
ＭＢＭＳ受信状態を報告するタイミングは、ネットワークにより設定され得る。例えば、ＭＢＭＳ受信状態はイベントトリガ(例えばＡ１−Ａ６、Ｂ１−Ｂ２)により報告される、または周期タイマーに基づいて周期的に報告される。またＵＥは、ＭＢＭＳ ＳＣ表示を受信すると、自発的にＭＢＭＳ受信状態を報告することもできる。１実施形態において、ＵＥは、ＭＢＭＳ受信状態の報告に条件が合っているかどうかをチェックする（ステップ５３４）。条件が満たされている場合、ＵＥ５０１はＭＢＭＳ受信状態をｅＮＢ５０２に再び報告する（ステップ５３５)。条件は、ＵＥがそのＭＢＭＳの興味またはユニキャストを上回るそのＭＢＭＳの優先度を変えることを含み得る。条件は、周期タイマーの満了によっても満たされ得る。
【００３５】
ＵＥ５０１からＭＢＭＳ受信状態報告を受信すると、ｅＮＢ５０２はＵＥ５０１に対して特定の決定を行い得る。１実施形態では、ｅＮＢ５０２は、ＵＥのトラフィックと、加えてＭＢＭＳ受信状態報告に基づいて、ＵＥ５０１に対しキャリアアグリゲーションの構成を決定する(ステップ５４１)。例えば、ＵＥ５０１が１つのＣＣをユニキャストに、別のＣＣをＭＢＭＳに用いており、かつＵＥ５０１がＭＢＭＳサービスがユニキャストサービスに優先されることを示した場合に、ＭＢＭＳサービスが中断されるであろうときは、ｅＮＢ５０２はＵＥ５０１に対してＣＡを構成しない。一方、ＵＥ５０１が、ＭＢＭＳサービスがユニキャストサービスに優先されないことを示した場合、ｅＮＢ５０２はＵＥ５０１に対してＣＡを構成することになる。別の実施形態において、ｅＮＢ５０２は、ＭＢＭＳ受信状態報告および隣接セルの他のＭＢＭＳ情報に基づいて、ＵＥ５０１に対しハンドオーバーの決定を行う（ステップ５４２）。例えば、ｅＮＢ５０２は、隣接セルからターゲットセルを決定する。ターゲットセルは、ＵＥ５０１により報告されたのと同じＭＢＭＳサービスをサポートし、これによりハンドオーバー後にＭＢＭＳサービス継続が維持される。
【００３６】
ステップ５５１において、ＵＥ５０１は、もはやＭＢＭＳサービスに興味がなくなった、またはｅＮＢ５０２がもはやＳＣをサポートしなくなった場合に、ＭＢＭＳ報告手続を停止する。例えば、ＵＥ５０１は空のＭＢＭＳＩｎｔｅｒｅｓｔＩｎｄｉｃａｔｉｏｎを送って、ＵＥ５０１ がもはやいかなるＭＢＭＳサービスを受信することにも興味がない旨を示すと共に、ＭＢＭＳ報告手続を停止する。
【００３７】
図６は、１つの新たな形態に基づいた、ネットワークの視点からのＭＢＭＳサービス継続の方法のフローチャートである。ステップ６０１において、基地局が無線通信ネットワーク内の隣接周波数のＭＢＭＳ情報を得る。一例では、基地局は、運用、管理および保守（Ｏｐｅｒａｔｉｏｎ, Ａｄｍｉｎｉｓｔｒａｔｉｏｎ, ａｎｄ Ｍａｉｎｔｅｎａｎｃｅ, ＯＡＭ）サーバーのようなネットワークエンティティを介してＭＢＭＳ情報を得る。 ステップ６０２において、基地局は、システム情報ブロック（ＳＩＢ）により複数のＵＥにＭＢＭＳサービス継続（ＳＣ）表示をブロードキャストする。 ＭＢＭＳ ＳＣ表示は、現在のセルおよび隣接周波数によりサポートされるＭＢＭＳサービスエリアＩＤ（ＳＡＩ）を含む。
【００３８】
図７は、１つの新たな形態に基づいた、ユーザー機器の視点からのＭＢＭＳサービス継続の方法のフローチャートである。ステップ７０１において、ユーザー機器(ＵＥ)は、基地局によりブロードキャストされたＭＢＭＳサービス継続(ＳＣ)表示を受信する。ＭＢＭＳ ＳＣ表示は、現在のセルおよび隣接周波数によりサポートされるＭＢＭＳサービスエリアＩＤ（ＳＡＩ）を含む。ステップ７０２において、ＵＥがＲＲＣ＿ＣＯＮＮＥＣＴＥＤ状態にある場合、ＵＥは専用のＲＲＣメッセージによりＭＢＭＳ受信状態を基地局に報告する。ＭＢＭＳ受信状態は、ＵＥがＭＢＭＳサービスを受信している、または受信することに興味がある場合のみ、受信したＭＢＭＳ ＳＣ表示に基づいて報告される。一例において、ＭＢＭＳ受信状態は、ＵＥが興味を持つ特定のＭＢＭＳサービスをサポートするキャリア周波数、およびＵＥのユニキャストを上回るＭＢＭＳの優先度を含む。報告されたＭＢＭＳ受信状態に基づき、基地局はキャリアアグリゲーション（ＣＡ）およびハンドオーバー（ＨＯ）のような適切な決定を行って、ＭＢＭＳサービス継続などのようなＵＥの期待に応えることができる。ステップ７０３において、ＵＥがＲＲＣ＿ＩＤＬＥ状態にある場合、ＵＥはＭＢＭＳ ＳＣ表示に基づきセル再選択を実行して、ＭＢＭＳサービス継続を維持する。
【００３９】
説明の目的で特定の実施形態に関して本発明を記述したが、本発明はこれらに限定はされない。したがって、特許請求の範囲に記載された本発明の範囲を逸脱しない限りにおいて、記述された実施形態の各種特徴の様々な変更、適用、および組み合わせが実施可能である。
【符号の説明】
【００４０】
１００…ロングタームエボリューションーション（ＬＴＥ）システム
１１…コンテンツコンテンツプロバイダ
１２…ブロードキャストマルチキャストサービスセンター（ＢＭＳＣ）
１３…ＭＢＭＳ ＣＰ＆ＵＰのＭＢＭＳゲートウェイ（ＭＢＭＳ−ＧＷ）
１４…パケットデータネットワークゲートウェイ（ＰＤＮ−ＧＷ）
１５…モビリティ管理エンティティ（ＭＭＥ）
１６…マルチ−セル／マルチキャストコーディネーションエンティティ（ＭＣＥ）
１７、１８…進化型Ｎｏｄｅ−Ｂ ｅＮＢ
１９…ユーザー機器ＵＥ
Ｍ１…ユーザープレーンインターフェース
Ｍ２、Ｍ３…コントロールプレーンインターフェース
２０１…ＵＥ
２０２…ｅＮＢ
２１１…メモリ
２１２…プロセッサ
２１３…無線周波数（ＲＦ）モジュール
２１４…アンテナ
２１５…プロトコルスタックモジュール
２１６…ＮＡＳ
２１７…ＲＲＣ
２１８…ＲＬＣ
２１９…ＭＡＣ
２２０…ＰＨＹ
２２１…アプリケーションモジュール
２２２…コンフィギュレーションモジュール
２２３…ハンドオーバー（ＨＯ）モジュール
２２４…ＭＢＭＳ制御モジュール
２３１…メモリ
２３２…プロセッサ
２３３…無線周波数（ＲＦ）モジュール
２３４…アンテナ
２３５…プロトコルスタックモジュール
２３６…ＮＡＳ
２３７…ＲＲＣ
２３８…ＲＬＣ
２３９…ＭＡＣ
２４０…ＰＨＹ
２４１…アプリケーションモジュール
２４２…コンフィギュレーションモジュール
２４３…ハンドオーバー（ＨＯ）モジュール
２４４…ＭＢＭＳ制御モジュール
３００…ＭＢＭＳサービスエリア
３０１…ＵＥ
３１１…ｅＮＢ
３１２…ｅＮＢ
３１３…ｅＮＢ
３１４…ｅＮＢ
３１５…ｅＮＢ
３２１…セル
３２２…セル
３２３…セル
３２４…セル
３２５…セル
３５０…図表
３６０…図表
４０１…ＵＥ
４０２…ｅＮＢ
５０１…ＵＥ
５０２…ｅＮＢ
【図１】
0005801488.tif 000002
【図２】
0005801488.tif 000003
【図３Ａ】
0005801488.tif 000004
【図３Ｂ】
0005801488.tif 000005
【図３Ｃ】
0005801488.tif 000006
【図４】
0005801488.tif 000007
【図５】
0005801488.tif 000008
【図６】
0005801488.tif 000009
【図７】
0005801488.tif 000010